(57)【要約】【課題】  直流の出力電圧の出力を維持した状態で光源を消灯させた場合に、入力電圧の高低に関わらず出力電圧の最大値を抑制することができる点灯装置、および照明器具を提供する。【解決手段】  点灯装置１では、光源２の消灯が指示された場合、制御回路１６が、一定の周期毎にＦＥＴＱ１１をターンオンさせて、所定のオン時間に亘ってオンさせる駆動信号Ｓ１を電源回路１２に出力する。制御回路１６は、出力電圧Ｖｏが上限値以上になると駆動信号Ｓ１の出力を停止し、出力電圧Ｖｏが下限値以下になると駆動信号Ｓ１の出力を開始する。そして、制御回路１６は、入力電圧Ｖｉが大きいほど、ＦＥＴＱ１１のオン時間を短くする。【選択図】図１
2018156857.tif 000002
【特許請求の範囲】
【請求項１】
一対の入力端に入力電圧を入力され、一対の出力端から直流の出力電圧を出力して、１つ以上の固体発光素子を有する光源に直流電力を供給する電源回路と、
前記光源に流れる負荷電流を調整する電流可変回路と、
前記光源の点灯及び消灯を指示する指示信号を入力され、前記指示信号の指示内容に応じて、前記電源回路及び前記電流可変回路をそれぞれ制御して、前記出力電圧及び前記負荷電流をそれぞれ調節する制御回路とを備え、
前記電源回路は、スイッチング素子と、インダクタとを有して、前記スイッチング素子をオン状態にすることで、前記入力電圧によるインダクタ電流を前記インダクタに流して前記インダクタにエネルギーを蓄積し、前記スイッチング素子をオフ状態にすることで、前記インダクタに蓄積されている前記エネルギーを放出して前記出力電圧を上昇させており、
前記制御回路は、
前記指示信号によって前記光源の消灯が指示された場合、一定の周期毎に前記スイッチング素子をターンオンさせて、所定のオン時間に亘ってオンさせた後にオフさせる駆動信号を前記電源回路に出力し、前記出力電圧が上限値以上になると前記駆動信号の出力を停止して、前記スイッチング素子をオフ状態に維持し、前記出力電圧が下限値以下になると前記駆動信号の出力を開始して、前記スイッチング素子をオンオフし、
前記入力電圧の検出値のデータを取得して、前記入力電圧が大きいほど、前記スイッチング素子の前記オン時間を短くする
ことを特徴とする点灯装置。
【請求項２】
前記入力電圧の検出値と前記オン時間との対応関係を示す対応データを記憶している記憶部をさらに備え、
前記制御回路は、前記対応データに基づいて、前記入力電圧の検出値に対応する前記オン時間を設定する
ことを特徴とする請求項１記載の点灯装置。
【請求項３】
前記対応データは、前記入力電圧の検出値を複数の電圧範囲に分割し、前記複数の電圧範囲のそれぞれと前記オン時間との対応関係を示していることを特徴とする請求項２記載の点灯装置。
【請求項４】
前記制御回路は、前記入力電圧の検出値のデータを一定の検出周期毎に取得することを特徴とする請求項１乃至３のいずれか一項に記載の点灯装置。
【請求項５】
前記下限値は、前記光源が点灯を開始する前記光源の両端電圧以上であることを特徴とする請求項１乃至４のいずれか一つに記載の点灯装置。
【請求項６】
前記指示信号は、前記光源の調光レベルを指示し、
前記制御回路は、前記指示信号によって指示された前記光源の調光レベルによって前記指示内容を判別する
ことを特徴とする請求項１乃至５のいずれか一つに記載の点灯装置。
【請求項７】
前記電流可変回路は、前記光源に直列接続されたトランジスタと検出抵抗との直列回路、および前記検出抵抗の両端電圧が基準電圧に一致するように前記トランジスタを制御して前記トランジスタと前記検出抵抗との直列回路に流れる電流を調節する電流制御部を有し、
前記制御回路は、前記指示信号の指示内容に応じて前記基準電圧を調節する
ことを特徴とする請求項１乃至６のいずれか一つに記載の点灯装置。
【請求項８】
請求項１乃至７のいずれか一項に記載の点灯装置と、１つ以上の固体発光素子を有して前記点灯装置から直流電力を供給される光源と、前記光源を設ける筐体とを備えることを特徴とする照明器具。
【発明の詳細な説明】
【技術分野】
【０００１】
本発明は、点灯装置、および照明器具に関する。
【背景技術】
【０００２】
従来、交流の入力電圧を入力されて直流の出力電圧を出力し、直流電力を光源に供給する点灯装置がある。光源は、ＬＥＤ（Light Emitting Diode）などの複数の固体発光素子の直列回路で構成されている。
【０００３】
従来の点灯装置として、例えば、特許文献１の照明装置がある。この従来の点灯装置は、交流電圧を直流電圧に変換する交流／直流変換器を備えている。交流／直流変換器は、トランジスタからなるスイッチと、電源制御装置とを有している。そして、電源制御装置が制御信号を出力して、スイッチをオンオフし、光源に流す所望の電流（負荷電流）を発生させている。
【０００４】
従来の点灯装置では、電源制御装置が負荷電流をオフにする場合、電源制御装置は、負荷電流をオフする直前に制御信号のデューティサイクルを測定し、この測定結果を保存している。そして、交流／直流変換器の出力電圧が急激に上昇することを防ぐために、次回、負荷電流がオフされると直ぐに、制御信号のデューティサイクルを、保存しているデューティサイクルに戻している。
【先行技術文献】
【特許文献】
【０００５】
【特許文献１】特表２０１２−５３３１６４号公報
【発明の概要】
【発明が解決しようとする課題】
【０００６】
点灯装置には、当該点灯装置の仕様を保障できる入力電圧（定格入力電圧）の範囲が予め定められている。そして、公称電圧が異なる複数の電線路に対応できるように、点灯装置の定格入力電圧が、複数の公称電圧を含む広い範囲に設定されることがある。この場合、定格入力電圧の下限値が入力された場合と、定格入力電圧の上限値が入力された場合とで、点灯装置の出力電圧が変動する可能性がある。
【０００７】
また、入力電圧が変動した場合も、点灯装置の出力電圧が変動する可能性がある。
【０００８】
特に、上述の出力電圧の変動は、点灯装置が直流電圧の出力を維持した状態で光源を消灯させた場合、点灯装置が低負荷状態になるために発生しやすくなる。
【０００９】
すなわち、従来の点灯装置は、直流電圧の出力を維持した状態で光源を消灯させた場合、入力電圧の高低によって出力電圧が変動してしまう可能性があった。この結果、従来の点灯装置は、出力電圧の変動による不具合が発生しやすかった。また、従来の点灯装置では、部品の耐圧を変動する出力電圧の上限値に合わせる必要があり、出力電圧の変動が高コスト化の要因になっていた。
【００１０】
本発明の目的とするところは、直流の出力電圧の出力を維持した状態で光源を消灯させた場合に、入力電圧の高低に関わらず出力電圧の最大値を抑制することができる点灯装置、および照明器具を提供することにある。
【課題を解決するための手段】
【００１１】
本発明の一態様に係る点灯装置は、電源回路と、電流可変回路と、制御回路とを備える。前記電源回路は、一対の入力端に入力電圧を入力され、一対の出力端から直流の出力電圧を出力して、１つ以上の固体発光素子を有する光源に直流電力を供給する。前記電流可変回路は、前記光源に流れる負荷電流を調整することができる。前記制御回路は、前記光源の点灯及び消灯を指示する指示信号を入力され、前記指示信号の指示内容に応じて、前記電源回路及び前記電流可変回路をそれぞれ制御して、前記出力電圧及び前記負荷電流をそれぞれ調節する。そして、前記電源回路は、スイッチング素子と、インダクタとを有して、前記スイッチング素子をオン状態にすることで、前記入力電圧によるインダクタ電流を前記インダクタに流して前記インダクタにエネルギーを蓄積する。前記電源回路は、前記スイッチング素子をオフ状態にすることで、前記インダクタに蓄積されている前記エネルギーを放出して前記出力電圧を上昇させている。前記制御回路は、前記指示信号によって前記光源の消灯が指示された場合、一定の周期毎に前記スイッチング素子をターンオンさせて、所定のオン時間に亘ってオンさせた後にオフさせる駆動信号を前記電源回路に出力する。前記制御回路は、前記出力電圧が上限値以上になると前記駆動信号の出力を停止して、前記スイッチング素子をオフ状態に維持し、前記出力電圧が下限値以下になると前記駆動信号の出力を開始して、前記スイッチング素子をオンオフする。そして、前記制御回路は、前記入力電圧の検出値のデータを取得して、前記入力電圧が大きいほど、前記スイッチング素子の前記オン時間を短くする。
【００１２】
本発明の一態様に係る照明器具は、上述の点灯装置と、１つ以上の固体発光素子を有して前記点灯装置から直流電力を供給される光源と、前記光源を設ける筐体とを備えることを特徴とする。
【発明の効果】
【００１３】
以上説明したように、本発明では、直流の出力電圧の出力を維持した状態で光源を消灯させた場合に、入力電圧の高低に関わらず出力電圧の最大値を抑制することができるという効果がある。
【図面の簡単な説明】
【００１４】
【図１】図１は、本発明の実施形態に係る点灯装置を示すブロック図である。
【図２】図２Ａは、同上の指示信号Ｓ２とＰＷＭ信号Ｓ３のオンデューティとの関係を示す図である。図２Ｂは、同上の指示信号Ｓ２と基準電圧Ｖｒとの関係を示す図である。
【図３】図３Ａは、同上の出力検出信号の波形図である。図３Ｂは、同上の出力電圧の波形図である。
【図４】図４Ａは、同上の駆動信号の波形図である。図４Ｂは、同上の出力電圧の波形図である。
【図５】図５Ａは、比較例の出力検出信号の波形図である。図５Ｂは、比較例の出力電圧の波形図である。
【図６】図６は、比較例の出力電圧の波形図である。
【図７】図７Ａは、本発明の実施形態に係る対応データの第１例を示す図である。図５７は、本発明の実施形態に係る対応データの第２例を示す図である。
【図８】図８Ａは、同上の出力検出信号の波形図である。図８Ｂは、同上の出力電圧の波形図である。
【図９】図９は、同上の出力電圧の波形図である。
【図１０】図１０Ａは、本発明の実施形態に係る照明器具を示す断面図である。図１０Ｂは、本発明の実施形態に係る別の照明器具を示す断面図である。
【発明を実施するための形態】
【００１５】
以下の実施形態は、一般に、点灯装置、および照明器具に関する。より詳細には、以下の実施形態は、固体発光素子に直流電力を供給する点灯装置、および照明器具に関する。
【００１６】
以下に本発明の実施形態を図面に基づいて説明する。
【００１７】
図１は、本実施形態の点灯装置１の回路構成を示す。
【００１８】
点灯装置１は、整流回路１１と、電源回路１２と、電流可変回路１３と、出力検出回路１４と、入力検出回路１５と、制御回路１６とを備える。点灯装置１は、光源２に直流電力を供給する。
【００１９】
整流回路１１は、フルブリッジ接続された４個のダイオードで構成されており、商用電源３００から入力された商用電力を全波整流して、直流の脈流電圧を出力する。整流回路１１が出力する脈流電圧は、電源回路１２に入力される。なお、図１では、商用電源３００の公称電圧を、交流電圧Ｖａｃとしている。
【００２０】
電源回路１２は、一対の入力端１２１，１２２を備えて、整流回路１１から出力された脈流電圧が一対の入力端１２１，１２２に入力される。以降、一対の入力端１２１，１２２に入力される脈流電圧を入力電圧Ｖｉと呼ぶ。入力端１２１は入力電圧Ｖｉの高電位側となり、入力端１２２は入力電圧Ｖｉの低電位側となる。そして、電源回路１２は、入力を電力変換して、一対の出力端１２３，１２４から直流電力を出力する。すなわち、電源回路１２は、一対の入力端１２１，１２２に直流の入力電圧Ｖｉが入力され、一対の出力端１２３，１２４から直流の出力電圧Ｖｏを出力する。出力端１２３は出力電圧Ｖｏの高電位側となり、出力端１２４は出力電圧Ｖｏの低電位側となる。電源回路１２は、出力電圧Ｖｏが所望の値（目標値）に一致するように、制御回路１６によって制御される。
【００２１】
電源回路１２は、降圧機能、昇降圧機能のいずれかを有するワンコンバータのスイッチング電源回路である。ワンコンバータとは、入力の力率を改善する力率改善回路と、直流電圧を出力するコンバータとが一体に構成されており、部品点数の低減、及び高効率化を図っている。電源回路１２が昇降圧機能を有する場合、具体的な回路構成として、ＳＥＰＩＣ回路、ＣＵＫ回路、ＺＥＴＡ回路のいずれかが用いられることが好ましい。電源回路１２が降圧機能を有する場合、フライバック方式等を用いた降圧チョッパ回路が用いられることが好ましい。
【００２２】
図１では、電源回路１２がＳＥＰＩＣ回路で構成されており、以下にＳＥＰＩＣ回路の動作について説明する。
【００２３】
電源回路１２は、入力端１２１と入力端１２２との間に、入力端１２１からインダクタＬ１１、コンデンサＣ１１、ダイオードＤ１１、コンデンサＣ１２を順に接続した直列回路が電気的に接続されている。インダクタＬ１１とコンデンサＣ１１との接続点と入力端１２２との間には、ＦＥＴＱ１１が電気的に接続されている。コンデンサＣ１１とダイオードＤ１１との接続点と入力端１２２との間には、インダクタＬ１２が電気的に接続されている。出力端１２３は、ダイオードＤ１１とコンデンサＣ１２との接続点に電気的に接続されている。出力端１２４は、入力端１２２に電気的に接続されている。なお、ダイオードＤ１１のアノードはコンデンサＣ１１に接続され、ダイオードＤ１１のカソードは出力端１２３に接続されている。
【００２４】
具体的に、ＦＥＴＱ１１がオンすると、入力端１２１  →  インダクタＬ１１  →  ＦＥＴＱ１１  →  入力端１２２の経路で電流が流れて、インダクタＬ１１にエネルギー（磁気エネルギー）が蓄積される。また、ＦＥＴＱ１１がオンすると、コンデンサＣ１１  →  ＦＥＴＱ１１  →  インダクタＬ１２  →  コンデンサＣ１１の経路で電流が流れて、インダクタＬ１２にエネルギー（磁気エネルギー）が蓄積される。
【００２５】
次に、ＦＥＴＱ１１がオフすると、入力端１２１  →  インダクタＬ１１  →  コンデンサＣ１１  →  ダイオードＤ１１  →  コンデンサＣ１２  →  入力端１２２の経路で電流が流れて、コンデンサＣ１１を充電する。また、ＦＥＴＱ１１がオフすると、インダクタＬ１２  →  ダイオードＤ１１  →  コンデンサＣ１２  →  インダクタＬ１２の経路で電流が流れて、コンデンサＣ１２を充電する。
【００２６】
そして、ＦＥＴＱ１１がオンオフすることによって、入力電圧Ｖｉを入力とする昇降圧動作が行われ、コンデンサＣ１２の両端間に出力電圧Ｖｏが発生する。電源回路１２は、出力電圧Ｖｏを出力端１２３，１２４から出力する。
【００２７】
電源回路１２の出力端１２３−１２４間には、光源２と電流可変回路１３とが直列接続されている。
【００２８】
光源２は、固体発光素子としてＬＥＤ２１を用いており、直列接続された複数のＬＥＤ２１を備える。隣り合う一対のＬＥＤ２１では、一方のＬＥＤ２１のカソードが、他方のＬＥＤ２１のアノードに電気的に接続している。光源２は、高電位側をアノード側とし、低電位側をカソード側とする。この場合、光源２のアノード側は、電源回路１２の出力端１２３に電気的に接続している。光源２のカソード側は、電流可変回路１３に電気的に接続している。
【００２９】
電流可変回路１３は、電流調整部１３１と、電流制御部１３２とを備える。
【００３０】
電流調整部１３１は、ＦＥＴ１３１ａ（トランジスタ）と、検出抵抗１３１ｂとを備えており、ＦＥＴ１３１ａと検出抵抗１３１ｂとの直列回路で構成されている。ＦＥＴ１３１ａは、Ｎチャネルのエンハンスメント型のＭＯＳＦＥＴ（Metal Oxide Semiconductor Field Effect Transistor：電界効果トランジスタ）であり、ＦＥＴ１３１ａのドレインは、光源２のカソード側に電気的に接続している。ＦＥＴ１３１ａのソースは、検出抵抗１３１ｂの一端に電気的に接続している。検出抵抗１３１ｂの他端は、電源回路１２の出力端１２４に電気的に接続している。すなわち、電源回路１２の出力端１２３−１２４間には、光源２と電流調整部１３１との直列回路が電気的に接続している。言い換えると、電源回路１２の出力端１２３−１２４間には、光源２とＦＥＴ１３１ａと検出抵抗１３１ｂとの直列回路が電気的に接続している。
【００３１】
電流制御部１３２は、オペアンプ１３２ａと、抵抗１３２ｂ，１３２ｃとを備える。抵抗１３２ｂの一端は、ＦＥＴ１３１ａのソースに電気的に接続し、抵抗１３２ｂの他端は、オペアンプ１３２ａの−側入力端子に電気的に接続している。すなわち、ＦＥＴ１３１ａのソースと検出抵抗１３１ｂとの接続点は、抵抗１３２ｂを介してオペアンプ１３２ａの−側入力端子に電気的に接続している。また、オペアンプ１３２ａの＋側入力端子には、制御回路１６から基準電圧Ｖｒが入力される。また、オペアンプ１３２ａの出力端子と−側入力端子との間には、抵抗１３２ｃが電気的に接続されている。さらに、オペアンプ１３２ａの出力端子は、ＦＥＴ１３１ａのゲートに電気的に接続している。そして、電流制御部１３２は、ＦＥＴ１３１ａのゲート電圧を制御することで、ＦＥＴ１３１ａと検出抵抗１３１ｂとの直列回路に流れる電流を調節できる。
【００３２】
出力検出回路１４は、抵抗１４１，１４２を備えており、抵抗１４１，１４２の直列回路で構成されている。抵抗１４１の一端が、電源回路１２の出力端１２３に電気的に接続し、抵抗１４１の他端が、抵抗１４２の一端に電気的に接続している。さらに、抵抗１４２の他端が、電源回路１２の出力端１２４に電気的に接続している。すなわち、抵抗１４１，１４２の直列回路は、電源回路１２の出力端１２３と出力端１２４との間に電気的に接続している。
【００３３】
そして、抵抗１４１と抵抗１４２との接続点が制御回路１６の入力端子に電気的に接続されている。出力検出回路１４は、抵抗１４１と抵抗１４２との接続点の電圧（抵抗１４２の両端電圧）を出力検出信号Ｓｏとし、出力検出信号Ｓｏを制御回路１６へ出力する。出力検出信号Ｓｏは、出力電圧Ｖｏの検出値を表す電圧信号である。抵抗１４１の抵抗値をＲ１４１とし、抵抗１４２の抵抗値をＲ１４２とすると、出力検出信号Ｓｏの電圧は、Ｖｏ・Ｒ１４２／（Ｒ１４１＋Ｒ１４２）となる。すなわち、出力検出回路１４は、出力電圧Ｖｏの大きさを検出し、出力電圧Ｖｏの検出結果を表す出力検出信号Ｓｏを制御回路１６へ出力する。
【００３４】
入力検出回路１５は、抵抗１５１，１５２、コンデンサ１５３を備えている。抵抗１５１と抵抗１５２とは直列接続されており、抵抗１５１の一端が、電源回路１２の入力端１２１に電気的に接続し、抵抗１５１の他端が、抵抗１５２の一端に電気的に接続している。さらに、抵抗１５２の他端が、電源回路１２の入力端１２２に電気的に接続している。すなわち、抵抗１５１，１５２の直列回路は、電源回路１２の入力端１２１と入力端１２２との間に電気的に接続している。コンデンサ１５３は、抵抗１５２に電気的に並列接続している。
【００３５】
そして、抵抗１５１と抵抗１５２との接続点が制御回路１６の入力端子に電気的に接続されている。つまり、入力検出回路１５は、コンデンサ１５３の両端電圧を入力検出信号Ｓｉとし、入力検出信号Ｓｉを制御回路１６へ出力する。入力検出信号Ｓｉは、入力電圧Ｖｉの検出値を表す電圧信号である。この入力検出信号Ｓｉの電圧は、入力電圧Ｖｉの平均値またはピーク値に比例（ほぼ比例）している。すなわち、入力検出回路１５は、入力電圧Ｖｉの大きさを検出し、入力電圧Ｖｉの検出結果を表す入力検出信号Ｓｉを制御回路１６へ出力する。
【００３６】
制御回路１６は、演算部１６１と、平滑回路１６２とを備えている。演算部１６１は、コンピュータを有する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイコン（Microcomputer）のいずれであってもよい。記憶用のデバイスには、半導体メモリのようにアクセス時間が短い記憶装置が主に用いられる。
【００３７】
プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００３８】
そして、演算部１６１では、記憶部１６ｃに格納されているプログラムをコンピュータが実行することで、スイッチング制御部１６ａ、基準設定部１６ｂとして機能し、電源回路１２、及び電流可変回路１３の各動作を制御する。なお、演算部１６１は、ディスクリート部品を組み合わせて、スイッチング制御部１６ａ、基準設定部１６ｂ、記憶部１６ｃを構成してもよい。
【００３９】
スイッチング制御部１６ａは、ＦＥＴＱ１１にスイッチング動作を行わせる駆動信号Ｓ１を、電源回路１２へ出力する。駆動信号Ｓ１は、電源回路１２内のＦＥＴＱ１１をオンオフさせる信号である。電源回路１２は、駆動信号Ｓ１によってＦＥＴＱ１１のスイッチング動作が制御され、出力電圧Ｖｏを調整することができる。
【００４０】
さらに演算部１６１は、外部のコントローラから指示信号Ｓ２（調光信号）を入力端子に入力される。指示信号Ｓ２は、光源２の調光レベルを指示する信号である。調光レベルが高いほど、光源２は明るくなる。一方、調光レベルが低いほど、光源２は暗くなる。本実施形態の指示信号Ｓ２は、調光レベルが高いほど電圧値が小さくなり、調光レベルが低いほど電圧値が大きくなる直流の電圧信号である。なお、光源２を流れる電流を負荷電流Ｉ１とした場合、指示信号Ｓ２の電圧値は、調光レベルに対応する負荷電流Ｉ１の大きさに基づいて設定されている。また、指示信号Ｓ２は、調光レベルが高いほど電圧値が大きくなり、調光レベルが低いほど電圧値が小さくなる電圧信号であってもよい。また、指示信号Ｓ２は、たとえばデューティで調光レベルを示すＰＷＭ（Pulse Width Modulation）信号であってもよい。
【００４１】
そして、基準設定部１６ｂは、指示信号Ｓ２によって指示される調光レベルに基づいてＰＷＭ信号Ｓ３を生成し、ＰＷＭ信号Ｓ３を出力端子から平滑回路１６２へ出力する。ＰＷＭ信号Ｓ３のオンデューティは、調光レベルが高いほど大きくなり、調光レベルが低いほど小さくなる。
【００４２】
平滑回路１６２は、ＰＷＭ信号Ｓ３を入力される。平滑回路１６２は、例えば平滑用の抵抗及びコンデンサを備えたＲＣ平滑回路である。そして、平滑回路１６２は、ＰＷＭ信号Ｓ３を平滑して基準電圧Ｖｒを生成し、基準電圧Ｖｒを出力する。基準電圧Ｖｒは、オペアンプ１３２ａの＋側入力端子に入力される。基準電圧Ｖｒの値は、調光レベルが高いほど大きくなり、調光レベルが低いほど小さくなる。
【００４３】
本実施形態の指示信号Ｓ２とＰＷＭ信号Ｓ３との関係を、図２Ａに示す。図２Ａは、横軸に指示信号Ｓ２の電圧値を示し、縦軸にＰＷＭ信号Ｓ３のオンデューティを示す。指示信号Ｓ２の電圧値がＶａ１未満である場合、調光レベルは１００（％）［全点灯指示］であり、ＰＷＭ信号Ｓ３のオンデューティは最大デューティＤ１になる。指示信号Ｓ２の電圧値がＶａ２以上である場合、調光レベルは０（％）［消灯指示］であり、ＰＷＭ信号Ｓ３のオンデューティは０になる。指示信号Ｓ２の電圧値がＶａ１以上、Ｖａ２未満である場合、調光レベルは０（％）より高く、かつ１００（％）未満［調光点灯指示］である。指示信号Ｓ２が調光点灯を指示する場合、ＰＷＭ信号Ｓ３のオンデューティは、０−Ｄ１の範囲内において、調光レベルに比例した値に設定される。すなわち、指示信号Ｓ２が調光点灯を指示する場合、ＰＷＭ信号Ｓ３のオンデューティは、調光レベルが高いほど大きくなり、調光レベルが低いほど小さくなる。なお、上述の電圧値Ｖａ１、Ｖａ２の大小関係は、Ｖａ１＜Ｖａ２となる。
【００４４】
次に、本実施形態の指示信号Ｓ２と基準電圧Ｖｒとの関係を、図２Ｂに示す。図２Ｂは、横軸に指示信号Ｓ２の電圧値を示し、縦軸に基準電圧Ｖｒの電圧値を示す。指示信号Ｓ２の電圧値がＶａ１未満である場合［全点灯指示］、基準電圧Ｖｒの電圧値は最大値Ｖｒ１になる。指示信号Ｓ２の電圧値がＶａ２以上である場合［消灯指示］、基準電圧Ｖｒの電圧値は０になる。指示信号Ｓ２の電圧値がＶａ１以上、Ｖａ２未満である場合［調光点灯指示］、基準電圧Ｖｒの電圧値は、０−Ｖｒ１の範囲内で、調光レベルに比例した値に設定される。すなわち、指示信号Ｓ２が調光点灯を指示する場合、基準電圧Ｖｒの電圧値は、調光レベルが高いほど大きくなり、調光レベルが低いほど小さくなる。
【００４５】
次に、電流可変回路１３による電流制御について説明する。
【００４６】
オペアンプ１３２ａの＋側入力端子には基準電圧Ｖｒが入力されている。そして、オペアンプ１３２ａは、イマジナリショート（Imaginary Short）の作用によって、オペアンプ１３２ａの−側入力端子の電位も基準電圧Ｖｒに等しくなるように出力電圧を調整する。つまり、検出抵抗１３１ｂの抵抗値をＲ１３１とすると、Ｖｒ＝Ｉ１×Ｒ１３１となるように、オペアンプ１３２ａは出力電圧を調整する。なお、負荷電流Ｉ１と検出抵抗１３１ｂの抵抗値Ｒ１３１との積［Ｉ１×Ｒ１３１］は、検出抵抗１３１ｂの両端電圧であり、以降、検出電圧Ｖｓと呼ぶ（Ｖｓ＝Ｉ１×Ｒ１３１）。
【００４７】
そして、オペアンプ１３２ａの出力電圧はＦＥＴ１３１ａのゲートに印加されるため、基準電圧ＶｒによってＦＥＴ１３１ａのゲート電圧（ゲート−ソース間電圧）が決まる。ＦＥＴ１３１ａのゲート電圧は、ＦＥＴ１３１ａのゲート−ソース間電圧（Ｖｇｓ）とドレイン電流（Ｉｄ）との対応を示すＶｇｓ−Ｉｄ特性に従って決定される。電流制御部１３２は、ＦＥＴ１３１ａのゲート電圧を調整することで、負荷電流Ｉ１（ＦＥＴ１３１ａのドレイン電流）を制御することができる。したがって、制御回路１６が指示信号Ｓ２に応じた基準電圧Ｖｒを設定することで、検出電圧Ｖｓが基準電圧Ｖｒに一致するように負荷電流Ｉ１が制御されて、光源２の調光レベルが制御される。
【００４８】
すなわち、点灯装置１の調光レベルの範囲の仕様を満たすように、基準電圧Ｖｒの調整範囲、および検出抵抗１３１ｂの抵抗値Ｒ１３１が予め決定されている。そして、制御回路１６が、指示信号Ｓ２に基づいて基準電圧Ｖｒを設定することで、電流可変回路１３は、負荷電流Ｉ１の大きさを所望の範囲内で調節することができる。つまり、電流可変回路１３は、指示信号Ｓ２に基づいて生成される基準電圧Ｖｒによって、調光レベルに応じた負荷電流Ｉ１を流して、光源２を調光することができる。
【００４９】
スイッチング制御部１６ａは、光源２が点灯状態（全点灯または調光点灯）であれば、ＦＥＴ１３１ａのドレイン電圧Ｖｄが目標電圧（例えば３Ｖ）に一致するように、電源回路１２の出力電圧Ｖｏを制御する。
【００５０】
具体的に、スイッチング制御部１６ａは、指示信号Ｓ２の電圧値に基づいて、指示信号Ｓ２の指示内容が、点灯指示、消灯指示のいずれであるかを判定する。なお、上述の全点灯指示、及び調光点灯指示のそれぞれが、点灯指示に相当する。すなわち、スイッチング制御部１６ａは、指示信号Ｓ２の電圧値がＶａ２未満である場合に、指示信号Ｓ２の指示内容が点灯指示であると判定する。また、スイッチング制御部１６ａは、指示信号Ｓ２の電圧値がＶａ２以上である場合に、指示信号Ｓ２の指示内容が消灯指示であると判定する。
【００５１】
さらに、ＦＥＴ１３１ａのドレインは制御回路１６の入力端子に電気的に接続されており、スイッチング制御部１６ａは、ＦＥＴ１３１ａのドレイン電圧Ｖｄを監視できる。そして、スイッチング制御部１６ａは、指示信号Ｓ２の指示内容が点灯指示であれば、ＦＥＴ１３１ａのドレイン電圧Ｖｄが目標電圧（例えば３Ｖ）に一致するように、駆動信号Ｓ１を電源回路１２へ出力する。
【００５２】
次に、光源２の消灯時における点灯装置１の動作について説明する。
【００５３】
基準設定部１６ｂは、光源２を消灯制御する場合、ＰＷＭ信号Ｓ３のオンデューティを０に設定する。この結果、基準電圧Ｖｒは０（Ｖ）になり、ＦＥＴ１３１ａはオフする。つまり、光源２を消灯させる場合、電源回路１２の昇降圧動作は継続しており、電源回路１２から出力電圧Ｖｏが出力されている状態で、ＦＥＴ１３１ａがオフ状態になる。電源回路１２から出力電圧Ｖｏが出力されている状態で、ＦＥＴ１３１ａをオフ制御することは、「調光切り」と呼ばれる。
【００５４】
そして、調光切りによって光源２が消灯している間も、電源回路１２から出力電圧Ｖｏが出力されている。これは、次に光源２を消灯状態から点灯状態へ移行させる場合に、光源２をスムーズに点灯させるためである。すなわち、消灯時においても、制御回路１６は、ＦＥＴＱ１１をオンオフさせる駆動信号Ｓ１を出力し、電源回路１２は昇降圧動作による出力電圧Ｖｏを出力している。
【００５５】
制御回路１６は、出力検出回路１４から出力検出信号Ｓｏを受け取ることで、出力電圧Ｖｏを監視できる。そして、スイッチング制御部１６ａは、図３Ａに示すように、出力検出信号Ｓｏの電圧を上限閾値Ｖｔ１及び下限閾値Ｖｔ２と比較する。スイッチング制御部１６ａは、出力検出信号Ｓｏの電圧が上限閾値Ｖｔ１以上にまで上昇した場合、駆動信号Ｓ１の出力を停止して、出力電圧Ｖｏを低下させる。また、スイッチング制御部１６ａは、出力検出信号Ｓｏの電圧が下限閾値Ｖｔ２以下にまで低下した場合、駆動信号Ｓ１を電源回路１２へ出力して、出力電圧Ｖｏを上昇させる。スイッチング制御部１６ａは、消灯制御時に上述の動作を繰り返すことで、図３Ｂに示すように、出力電圧Ｖｏは、上限値Ｖｏ１と下限値Ｖｏ２との間で、上昇と低下とを交互に繰り返す。
【００５６】
駆動信号Ｓ１は、ＦＥＴＱ１１をオンオフして、ＦＥＴＱ１１をスイッチングさせる信号である。消灯制御時の駆動信号Ｓ１は、図４Ａに示すように、ＦＥＴＱ１１をスイッチング周期Ｔａ毎（一定時間毎）にターンオンさせ、ターンオンした後に所定のオン時間Ｔｏｎに亘ってオンさせる。そして、この駆動信号Ｓ１は、オン時間Ｔｏｎが経過してＦＥＴＱ１１をターンオフさせた後、次のターンオンタイミングまでをオフ時間Ｔｏｆｆとして、オフ時間Ｔｏｆｆに亘ってＦＥＴＱ１１をオフさせる。電源回路１２は、図４Ｂに示すように、オン時間ＴｏｎにおいてインダクタＬ１１，Ｌ１２のそれぞれにエネルギーを蓄積し、オフ時間ＴｏｆｆにおいてインダクタＬ１１，Ｌ１２のそれぞれからエネルギーを放出することで、出力電圧Ｖｏを上昇させる。
【００５７】
一方、駆動信号Ｓ１の出力が停止されると、ＦＥＴＱ１１がオフ状態に維持される。電源回路１２では、ＦＥＴＱ１１がオフ状態に維持されるので、出力電圧Ｖｏが低下する。
【００５８】
以降、スイッチング制御部１６ａが駆動信号Ｓ１を出力している期間を、スイッチング期間と呼び、図３Ａ、図３Ｂではスイッチング期間Ｔ１としている。また、スイッチング制御部１６ａが駆動信号Ｓ１の出力を停止している期間を、停止期間と呼び、図３Ａ、図３Ｂでは停止期間Ｔ２としている。
【００５９】
さらに、光源２を消灯状態から点灯状態にスムーズに移行させるためには、消灯時における出力電圧Ｖｏを、光源２の点灯開始電圧Ｖｆ以上に維持する必要がある。光源２の点灯開始電圧Ｖｆとは、光源２が点灯を開始する光源２の両端電圧（アノード側とカソード側との間の電圧）である。すなわち、光源２の点灯開始電圧Ｖｆは、光源２を点灯させることができる光源２の両端電圧の最小値である。この場合、図３Ｂに示すように、出力電圧Ｖｏの下限値Ｖｏ２が点灯開始電圧Ｖｆ以上となるように、下限閾値Ｖｔ２が設定されている。
【００６０】
一方、消灯時における出力電圧Ｖｏが点灯開始電圧Ｖｆ未満である場合、光源２を消灯状態から点灯状態に移行させようとすると、出力電圧Ｖｏを点灯開始電圧Ｖｆ以上にまで上昇させるための時間が必要になる。したがって、消灯時における出力電圧Ｖｏが点灯開始電圧Ｖｆ未満である場合、光源２を消灯状態から点灯状態にスムーズに移行させることが困難になる。
【００６１】
スイッチング制御部１６ａは、上述のように、消灯制御時の出力電圧Ｖｏを点灯開始電圧Ｖｆ以上に維持している。
【００６２】
ここで、本実施形態の点灯装置１では、公称電圧が異なる複数の電線路に対応できるように、点灯装置１の定格入力電圧が、複数の公称電圧を含む広い範囲に設定されている。具体的に、点灯装置１は、公称電圧１００（Ｖ）及び公称電圧２００（Ｖ）の両方の電線路に対応している。すなわち、商用電源３００から入力される交流電圧Ｖａｃが１００（Ｖ），２００（Ｖ）のいずれであっても、点灯装置１は動作可能である。
【００６３】
以下、本実施形態の点灯装置１との比較のために、駆動信号Ｓ１のオン時間Ｔｏｎを一定の固定値にして、消灯制御時に出力電圧Ｖｏを点灯開始電圧Ｖｆ以上に維持する動作について説明する。この比較例では、交流電圧Ｖａｃ＝１００（Ｖ）、及び交流電圧Ｖａｃ＝２００（Ｖ）のそれぞれの条件下で、駆動信号Ｓ１のオン時間Ｔｏｎを一定の固定値にしている。
【００６４】
まず、消灯制御時において光源２の消費電力はほぼ０なので、オン時間Ｔｏｎを一定にした駆動信号Ｓ１によって出力電圧Ｖｏが上昇し、この結果、出力検出信号Ｓｏの電圧も上昇する。
【００６５】
そして、駆動信号Ｓ１のオン時間Ｔｏｎを一定の固定値にして、消灯制御時に出力電圧Ｖｏを上昇させると、交流電圧Ｖａｃが異なった場合に、出力電圧Ｖｏの上昇傾きΔＶｏ／Ｔ１も異なる。電源回路１２がＳＥＰＩＣ回路である場合、ＦＥＴＱ１１の１サイクルのスイッチングでインダクタＬ１１に蓄積される平均エネルギーＰａｖは、式（１）で表される。なお、Ｌａは、インダクタＬ１１のインダクタンスである。Ｔａは、ＦＥＴＱ１１のスイッチング周期である。
【００６６】
Ｐａｖ＝（Ｖｉ２・Ｔｏｎ２）／（２・Ｌａ・Ｔａ）  ………  式（１）
図５Ａは、オン時間Ｔｏｎを一定の固定値にした消灯制御時における出力検出信号Ｓｏの波形を示す。図５Ａは、交流電圧Ｖａｃ＝１００（Ｖ）である場合の出力検出信号Ｓｏの波形をＸ１１で示し、交流電圧Ｖａｃ＝２００（Ｖ）である場合の出力検出信号Ｓｏの波形をＸ２１で示している。図５Ｂは、オン時間Ｔｏｎを一定の固定値にした消灯制御時における出力電圧Ｖｏの波形を示す。図５Ｂは、交流電圧Ｖａｃ＝１００（Ｖ）である場合の出力電圧Ｖｏの波形をＸ１２で示し、交流電圧Ｖａｃ＝２００（Ｖ）である場合の出力電圧Ｖｏの波形をＸ２２で示している。
【００６７】
上述の式（１）より、インダクタＬ１１に蓄積される平均エネルギーＰａｖは、入力電圧Ｖｉの２乗に比例することがわかる。入力電圧Ｖｉは交流電圧Ｖａｃに比例することから、交流電圧Ｖａｃ＝２００（Ｖ）時における出力電圧Ｖｏの上昇傾きΔＶｏ（２００）／Ｔ１（２００）は、交流電圧Ｖａｃ＝１００（Ｖ）時における出力電圧Ｖｏの上昇傾きΔＶｏ（１００）／Ｔ１（１００）の約４倍になる（図５Ｂ）。
【００６８】
スイッチング制御部１６ａは、出力検出信号Ｓｏの電圧データを検出周期Ｔｓ毎に取得（サンプリング）し、出力検出信号Ｓｏの電圧データを検出周期Ｔｓ毎に更新する。そして、スイッチング制御部１６ａは、更新した出力検出信号Ｓｏの電圧データに基づいて、出力検出信号Ｓｏの電圧を上限閾値Ｖｔ１及び下限閾値Ｖｔ２と比較する。すなわち、スイッチング制御部１６ａは、検出周期Ｔｓ毎に、駆動信号Ｓ１の出力または出力停止を判断する。したがって、出力検出信号Ｓｏの電圧が上限閾値Ｖｔ１に達したタイミングと、電圧データの取得タイミングｔｐとがずれる場合がある。この結果、スイッチング制御部１６ａは、出力検出信号Ｓｏの電圧値が上限閾値Ｖｔ１を上回ってから、駆動信号Ｓ１の出力を停止する可能性がある。なお、本実施形態の検出周期Ｔｓは、数ｍｓ程度に設定されている。しかし、検出周期Ｔｓの具体的な値は特定の値に限定されない。
【００６９】
具体的に、交流電圧Ｖａｃ＝１００（Ｖ）である場合、出力電圧Ｖｏの上昇傾きΔＶｏ（１００）／Ｔ１（１００）は比較的緩やかになる。したがって、交流電圧Ｖａｃ＝１００（Ｖ）である場合、波形Ｘ１１，Ｘ１２に示すように、出力検出信号Ｓｏの電圧が上限閾値Ｖｔ１に達したタイミングｔｓ（１００）と電圧データの取得タイミングｔｐとがずれても、出力電圧Ｖｏの最大値Ｖｍ（１００）は、比較的低い値に収まる。
【００７０】
一方、交流電圧Ｖａｃ＝２００（Ｖ）時における出力電圧Ｖｏの上昇傾きΔＶｏ（２００）／Ｔ１（２００）は、交流電圧Ｖａｃ＝１００（Ｖ）時における出力電圧Ｖｏの上昇傾きΔＶｏ（１００）／Ｔ１（１００）の約４倍になる。したがって、交流電圧Ｖａｃ＝２００（Ｖ）である場合、波形Ｘ２１，Ｘ２２に示すように、出力検出信号Ｓｏの電圧が上限閾値Ｖｔ１に達したタイミングｔｓ（２００）と電圧データの取得タイミングｔｐとがずれると、出力電圧Ｖｏの最大値Ｖｍ（２００）は、高い値にまで上昇してしまう。
【００７１】
この結果、比較例の点灯装置は、出力電圧Ｖｏの最大値Ｖｍ（２００）に対応するために、部品の高耐圧化、高耐圧化に伴う部品サイズの大型化及び高コスト化という問題が生じる。
【００７２】
また、図６は、オン時間Ｔｏｎを一定の固定値にした消灯制御時における出力電圧Ｖｏの波形を示す。図６は、交流電圧Ｖａｃ＝１００（Ｖ）である場合の出力電圧Ｖｏの波形をＸ１２で示し、交流電圧Ｖａｃ＝２００（Ｖ）である場合の出力電圧Ｖｏの波形をＸ２２で示している。
【００７３】
図６に示すように、交流電圧Ｖａｃ＝１００（Ｖ）時において、スイッチング期間Ｔ１（１００）と停止期間Ｔ２（１００）とが交互に繰り返され、周期Ｔ３（１００）＝Ｔ１（１００）＋Ｔ２（１００）となる。また、交流電圧Ｖａｃ＝２００（Ｖ）時において、スイッチング期間Ｔ１（２００）と停止期間Ｔ２（２００）とが交互に繰り返され、周期Ｔ３（２００）＝Ｔ１（２００）＋Ｔ２（２００）となる。
【００７４】
そして、波形Ｘ２２の上昇時の傾きは、波形Ｘ１２の上昇時の傾きの約４倍になるので、スイッチング期間Ｔ１（１００）は、スイッチング期間Ｔ１（２００）の約４倍になる。また、コンデンサＣ１２の放電時定数は、交流電圧Ｖａｃの大きさに関わらず一定であるので、停止期間Ｔ２（１００）と停止期間Ｔ２（２００）とは等しくなる。したがって、周期Ｔ３（１００）＞周期Ｔ３（２００）となる。この場合、周期Ｔ３（１００）の逆数である周波数ｆ３（１００）を、人の可聴周波数未満である数（Ｈｚ）−１０（Ｈｚ）に設定すると、周期Ｔ３（２００）の逆数である周波数ｆ３（２００）は、２０（Ｈｚ）以上になる。すなわち、交流電圧Ｖａｃ＝２００（Ｖ）である場合、周波数ｆ３（２００）は可聴周波数以上になる。したがって、比較例の点灯装置では、交流電圧Ｖａｃ＝２００（Ｖ）で使用されると、人に聴こえる動作音を発してしまうという問題が生じる。
【００７５】
そこで、本実施形態の点灯装置１では、消灯制御時における駆動信号Ｓ１のオン時間Ｔｏｎを可変値とすることで、上述の問題を解決している。
【００７６】
スイッチング制御部１６ａは、オン時間Ｔｏｎを可変とし、入力検出信号Ｓｉの電圧値に基づいてオン時間Ｔｏｎを設定する。
【００７７】
具体的に、記憶部１６ｃは、入力検出信号Ｓｉの電圧値とオン時間Ｔｏｎとの対応関係を示す対応データを記憶している。
【００７８】
図７Ａは、対応データの第１例を示す。図７Ａの対応データは、入力検出信号Ｓｉの電圧値が大きいほど、オン時間Ｔｏｎが連続的に短くなる。例えば、交流電圧Ｖａｃが１００（Ｖ）であれば、入力検出信号Ｓｉの電圧値がＳｉ（１００）となり、オン時間ＴｏｎはＴｏｎ（１００）となる。交流電圧Ｖａｃが２００（Ｖ）であれば、入力検出信号Ｓｉの電圧値がＳｉ（２００）となり、オン時間ＴｏｎはＴｏｎ（２００）となる。オン時間Ｔｏｎ（２００）は、オン時間Ｔｏｎ（１００）よりも短くなる。また、入力検出信号Ｓｉの電圧値がＳｉ（１００）より大きく、Ｓｉ（２００）より小さい場合、オン時間Ｔｏｎは、Ｔｏｎ（１００）＜Ｔｏｎ＜Ｔｏｎ（２００）の範囲内で設定される。なお、図７Ａでは、入力検出信号Ｓｉの電圧値とオン時間Ｔｏｎとが線形的に対応付けられているが、非線形的に対応付けられてもよい。
【００７９】
図７Ｂは、対応データの第２例を示す。図７Ｂの対応データは、入力検出信号Ｓｉの電圧値を２つの電圧範囲に分割している。
【００８０】
第１の電圧範囲は、入力検出信号Ｓｉの電圧値：Ｓｉ（８０）−Ｓｉ（１５０）であり、交流電圧Ｖａｃ：８０−１５０（Ｖ）における入力検出信号Ｓｉの電圧値である。すなわち、交流電圧Ｖａｃが８０−１５０（Ｖ）であれば、入力検出信号Ｓｉの電圧値がＳｉ（８０）−Ｓｉ（１５０）となる。そして、第１の電圧範囲Ｓｉ（８０）−Ｓｉ（１５０）は、公称電圧１００（Ｖ）の電線路に対応している。そこで、第１の電圧範囲Ｓｉ（８０）−Ｓｉ（１５０）では、オン時間Ｔｏｎが、交流電圧Ｖａｃ＝１００（Ｖ）に対応するＴｏｎ（１００）となる。
【００８１】
第２の電圧範囲は、入力検出信号Ｓｉの電圧値：Ｓｉ（１５０）−Ｓｉ（２５０）であり、交流電圧Ｖａｃ：１５０−２５０（Ｖ）における入力検出信号Ｓｉの電圧値である。すなわち、交流電圧Ｖａｃが１５０−２５０（Ｖ）であれば、入力検出信号Ｓｉの電圧値がＳｉ（１５０）−Ｓｉ（２５０）となる。第２の電圧範囲Ｓｉ（１５０）−Ｓｉ（２５０）は、公称電圧２００（Ｖ）の電線路に対応している。そこで、第２の電圧範囲Ｓｉ（１５０）−Ｓｉ（２５０）では、オン時間Ｔｏｎが、交流電圧Ｖａｃ＝２００（Ｖ）に対応するＴｏｎ（２００）となる。オン時間Ｔｏｎ（２００）は、オン時間Ｔｏｎ（１００）よりも短くなる。
【００８２】
すなわち、図７Ｂの対応データでは、入力検出信号Ｓｉの電圧値が大きいほど、オン時間Ｔｏｎが段階的に短くなる。なお、図７Ｂの対応データでは、入力検出信号Ｓｉの電圧値を２つの電圧範囲に分割しているが、３つ以上の電圧範囲に分割してもよい。
【００８３】
電源回路１２がＳＥＰＩＣ回路である場合、出力電圧Ｖｏの上昇傾きΔＶｏ／Ｔ１は、オン時間Ｔｏｎの二乗にも比例するので、Ｔｏｎ（１００）＝２・Ｔｏｎ（２００）の関係になる。
【００８４】
図８Ａは、オン時間Ｔｏｎを可変とした消灯制御時における出力検出信号Ｓｏの波形Ｘ１を示す。図８Ｂは、オン時間Ｔｏｎを可変とした消灯制御時における出力電圧Ｖｏの波形Ｘ２を示す。
【００８５】
上述のように、スイッチング制御部１６ａは、オン時間Ｔｏｎを可変とし、入力検出信号Ｓｉの電圧値に基づいてオン時間Ｔｏｎを設定している。この結果、オン時間ＴｏｎにインダクタＬ１１に蓄積される平均エネルギーＰａｖは、交流電圧Ｖａｃ＝１００Ｖ、交流電圧Ｖａｃ＝２００Ｖの両方において互いに等しくなる。したがって、出力電圧Ｖｏの上昇傾きは、交流電圧Ｖａｃ＝１００（Ｖ）時、及び交流電圧Ｖａｃ＝２００（Ｖ）時の各条件下で図８Ｂ中のΔＶｏ／Ｔ１となる。つまり、交流電圧Ｖａｃ＝１００（Ｖ）時における出力電圧Ｖｏの上昇傾きと、交流電圧Ｖａｃ＝２００（Ｖ）時における出力電圧Ｖｏの上昇傾きとは、互いに等しくなる。
【００８６】
そこで、点灯装置１では、波形Ｘ２に示すように、出力検出信号Ｓｏの電圧が上限閾値Ｖｔ１に達したタイミングｔｓと電圧データの取得タイミングｔｐとがずれた場合でも、出力電圧Ｖｏの最大値Ｖｍを抑えることができるように、対応データが設定されている。したがって、交流電圧Ｖａｃ＝１００（Ｖ）時、及び交流電圧Ｖａｃ＝２００（Ｖ）時の各条件下で、出力電圧Ｖｏの上昇傾きΔＶｏ／Ｔ１は比較的緩やかになる。この結果、波形Ｘ２に示すように、交流電圧Ｖａｃ＝１００（Ｖ）時、及び交流電圧Ｖａｃ＝２００（Ｖ）時の各条件下で、出力電圧Ｖｏの最大値Ｖｍは、比較的低い値に収まる。
【００８７】
つまり、点灯装置１は、交流電圧Ｖａｃ＝１００（Ｖ）時、及び交流電圧Ｖａｃ＝２００（Ｖ）時の各条件下で、タイミングｔｓと電圧データの取得タイミングｔｐとがずれた場合でも、出力電圧Ｖｏの最大値Ｖｍを抑えることができる。すなわち、点灯装置１は、直流の出力電圧Ｖｏの出力を維持した状態で光源２を消灯させた場合に、交流電圧Ｖａｃ（入力電圧Ｖｉ）の高低に関わらず出力電圧Ｖｏの最大値Ｖｍを抑制することができる。この結果、点灯装置１は、比較的低耐圧の部品を用いることができ、部品サイズの小型化及び低コスト化を図ることができる。
【００８８】
点灯装置１の上述の効果は、点灯装置１の定格入力電圧が、複数の公称電圧を含む広い範囲に設定されている場合に有効であるが、入力電圧Ｖｉ（交流電圧Ｖａｃ）が変動する場合にも有効である。
【００８９】
また、図９は、オン時間Ｔｏｎを可変とした消灯制御時における出力電圧Ｖｏの波形Ｘ３を示す。
【００９０】
図９に示す波形Ｘ３は、交流電圧Ｖａｃ＝１００（Ｖ）時、及び交流電圧Ｖａｃ＝２００（Ｖ）時の各条件に共通に対応している。すなわち、交流電圧Ｖａｃ＝１００（Ｖ）時、及び交流電圧Ｖａｃ＝２００（Ｖ）時の各条件下で、スイッチング期間Ｔ１、停止期間Ｔ２、及び周期Ｔ３が互いに等しくなる。そして、点灯装置１では、周期Ｔ３の逆数である周波数ｆ３が、人の可聴周波数未満である数（Ｈｚ）−１０（Ｈｚ）に設定されている。したがって、交流電圧Ｖａｃ＝１００（Ｖ）時、及び交流電圧Ｖａｃ＝２００（Ｖ）時の各条件下で、点灯装置１の動作音を人の可聴周波数帯より低くすることができ、優れた静粛性を得ることができる。
【００９１】
図１０Ａは、天井パネル５に埋込配設されるダウンライトである照明器具１０Ａを示す。照明器具１０Ａは、上述の点灯装置１と、上述の光源２と、筐体３とを備える。筐体３は、アルミニウムなどの金属によって、上面が閉塞され、下面が開口した有底の円筒形状に形成されている。筐体３の上底面には、光源２が取り付けられている。光源２は、複数のＬＥＤ２１、基板２２を備えており、基板２２上に複数のＬＥＤ２１が実装されている。また、筐体３の下面開口は円板状のカバー４１で閉塞されている。カバー４１は、ガラスまたはポリカーボネートなどの透光性材料で形成されている。点灯装置１は、矩形箱状に形成された金属製のケース４２に収納されて、天井パネル５の上面に配置されている。点灯装置１は、電気ケーブル４３およびコネクタ４４を介して光源２に電気的に接続されている。
【００９２】
図１０Ｂは、天井パネル５に埋込配設される別のダウンライトである照明器具１０Ｂを示す。照明器具１０Ｂは、上述の点灯装置１と、上述の光源２と、筐体６とを備える。筐体６は、アルミニウムなどの金属によって、上面が閉塞され、下面が開口した有底の円筒形状に形成されている。筐体６の下面開口は、円板状のカバー７１で閉塞されている。カバー７１は、ガラスまたはポリカーボネートなどの透光性材料で形成されている。筐体６内は、円板状の仕切板７２によって上下に分割されている。仕切板７２の上面側には、点灯装置１または１Ａが配置されている。仕切板７２の下面には、光源２が配置されている。点灯装置１は、仕切板７２の通線孔７３を通る電気ケーブル７４によって、光源２と電気的に接続されている。
【００９３】
照明器具１０Ａ，１０Ｂのそれぞれは、上述の点灯装置１を備えるので、直流の出力電圧Ｖｏの出力を維持した状態で光源２を消灯させた場合に、交流電圧Ｖａｃ（入力電圧Ｖｉ）の高低に関わらず出力電圧Ｖｏの最大値Ｖｍを抑制することができる。
【００９４】
なお、光源２は、ＬＥＤ２１に限らず、有機ＥＬ（Organic Electro Luminescence、OEL）、または半導体レーザ（Laser Diode、LD）などの他の固体発光素子を有していてもよい。
【００９５】
以上のように、実施形態に係る第１の態様の点灯装置１は、電源回路１２と、電流可変回路１３と、制御回路１６とを備える。電源回路１２は、一対の入力端１２１，１２２に入力電圧Ｖｉを入力され、一対の出力端１２３，１２４から直流の出力電圧Ｖｏを出力して、１つ以上のＬＥＤ２１（固体発光素子）を有する光源２に直流電力を供給する。電流可変回路１３は、光源２に流れる負荷電流Ｉ１を調整することができる。制御回路１６は、光源２の点灯及び消灯を指示する指示信号Ｓ２を入力され、指示信号Ｓ２の指示内容に応じて、電源回路１２及び電流可変回路１３をそれぞれ制御して、出力電圧Ｖｏ及び負荷電流Ｉ１をそれぞれ調節する。そして、電源回路１２は、ＦＥＴＱ１１（スイッチング素子）と、インダクタＬ１１，Ｌ１２とを有して、ＦＥＴＱ１１をオン状態にすることで、入力電圧Ｖｉによるインダクタ電流をインダクタＬ１１，Ｌ１２に流して、インダクタＬ１１，Ｌ１２にエネルギーを蓄積する。電源回路１２は、ＦＥＴＱ１１をオフ状態にすることで、インダクタＬ１１，Ｌ１２に蓄積されているエネルギーを放出して出力電圧Ｖｏを上昇させている。制御回路１６は、指示信号Ｓ２によって光源２の消灯が指示された場合、一定のスイッチング周期Ｔａ（周期）毎にＦＥＴＱ１１をターンオンさせて、所定のオン時間Ｔｏｎに亘ってオンさせた後にオフさせる駆動信号Ｓ１を電源回路１２に出力する。制御回路１６は、出力電圧Ｖｏが上限値Ｖｏ１以上になると駆動信号Ｓ１の出力を停止して、ＦＥＴＱ１１をオフ状態に維持し、出力電圧Ｖｏが下限値Ｖｏ２以下になると駆動信号Ｓ１の出力を開始して、ＦＥＴＱ１１をオンオフする。そして、制御回路１６は、入力電圧Ｖｉの検出値のデータ（入力検出信号Ｓｉ）を取得して、入力電圧Ｖｉが大きいほど、ＦＥＴＱ１１のオン時間Ｔｏｎを短くする。
【００９６】
したがって、点灯装置１は、入力電圧Ｖｉ（交流電圧Ｖａｃ）の高低に関わらず出力電圧Ｖｏの変動を抑制して、出力電圧Ｖｏの最大値Ｖｍを抑えることができる。具体的には、点灯装置１の定格入力電圧が、複数の公称電圧を含む広い範囲に設定されている場合、あるいは入力電圧Ｖｉ（交流電圧Ｖａｃ）が変動する場合に、点灯装置１は、出力電圧Ｖｏの最大値Ｖｍを抑えることができる。この結果、点灯装置１は、比較的低耐圧の部品を用いることができ、部品サイズの小型化及び低コスト化を図ることができる。
【００９７】
また、実施形態に係る第２の態様の点灯装置１では、第１の態様において、入力電圧Ｖｉの検出値とオン時間Ｔｏｎとの対応関係を示す対応データを記憶している記憶部１６ｃをさらに備えることが好ましい。そして、制御回路１６は、対応データに基づいて、入力電圧Ｖｉの検出値に対応するオン時間Ｔｏｎを設定する。
【００９８】
したがって、点灯装置１は、入力電圧Ｖｉ及び光源２などの各仕様に応じて対応データを設定することで、入力電圧Ｖｉ及び光源２などの各仕様に応じたオン時間Ｔｏｎを設定することができる。
【００９９】
また、実施形態に係る第３の態様の点灯装置１では、第２の態様において、対応データは、入力電圧Ｖｉの検出値を複数の電圧範囲に分割し、複数の電圧範囲のそれぞれとオン時間Ｔｏｎとの対応関係を示していることが好ましい。
【０１００】
したがって、点灯装置１は、公称電圧が互いに異なる複数の電線路に対応して、オン時間Ｔｏｎをそれぞれ設定することができる。
【０１０１】
また、実施形態に係る第４の態様の点灯装置１では、第１乃至第３の態様のいずれか一つにおいて、制御回路１６は、入力電圧Ｖｉの検出値のデータを一定の検出周期Ｔｓ毎に取得することが好ましい。
【０１０２】
したがって、点灯装置１は、出力電圧Ｖｏが上限値Ｖｏ１に達したタイミングと入力電圧Ｖｉの検出値のデータを取得するタイミングとがずれた場合でも、出力電圧Ｖｏの最大値Ｖｍを抑えることができる。
【０１０３】
また、実施形態に係る第５の態様の点灯装置１では、第１乃至第４の態様のいずれか一つにおいて、下限値Ｖｏ２は、光源２が点灯を開始する光源２の両端電圧（点灯開始電圧Ｖｆ）以上であることが好ましい。
【０１０４】
したがって、点灯装置１は、光源２を消灯状態から点灯状態にスムーズに移行させることができる。
【０１０５】
また、実施形態に係る第６の態様の点灯装置１では、第１乃至第５の態様のいずれか一つにおいて、指示信号Ｓ２は、光源２の調光レベルを指示することが好ましい。このとき、制御回路１６は、指示信号Ｓ２によって指示された光源２の調光レベルによって指示内容を判別する。
【０１０６】
したがって、点灯装置１は、光源２の調光機能を有する場合でも、光源２の点灯指示と消灯指示とを判別することができる。
【０１０７】
また、実施形態に係る第７の態様の点灯装置１では、第１乃至第６の態様のいずれか一つにおいて、電流可変回路１３は、光源２に直列接続されたＦＥＴ１３１ａ（トランジスタ）と検出抵抗１３１ｂとの直列回路、および電流制御部１３２を有することが好ましい。電流制御部１３２は、検出抵抗１３１ｂの両端電圧（検出電圧Ｖｓ）が基準電圧Ｖｒに一致するようにＦＥＴ１３１ａを制御してＦＥＴ１３１ａと検出抵抗１３１ｂとの直列回路に流れる電流を調節する。制御回路１６は、指示信号Ｓ２の指示内容に応じて基準電圧Ｖｒを調節する。
【０１０８】
したがって、点灯装置１は、指示信号Ｓ２の指示内容に応じて、光源２を定電流制御することができる。
【０１０９】
上述の実施形態に係る第８の態様の照明器具１０Ａ，１０Ｂは、点灯装置１と、１つ以上のＬＥＤ２１（固体発光素子）を有して点灯装置１から直流電力を供給される光源２と、光源２を設ける筐体３，６とを備える。
【０１１０】
照明器具１０Ａ，１０Ｂのそれぞれは、上述の点灯装置１を備えるので、入力電圧Ｖｉ（交流電圧Ｖａｃ）の高低に関わらず出力電圧Ｖｏの変動を抑制して、出力電圧Ｖｏの最大値Ｖｍを抑えることができる。
【０１１１】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１１２】
１  点灯装置
２  光源
２１  ＬＥＤ（固体発光素子）
３，６  筐体
１０Ａ，１０Ｂ  照明器具
１２  電源回路
１２１，１２２  入力端
１２３，１２４  出力端
１３  電流可変回路
１３１  電流調整部
１３１ａ  ＦＥＴ（トランジスタ）
１３１ｂ  検出抵抗
１３２  電流制御部
１６  制御回路
１６ｃ  記憶部
Ｑ１１  ＦＥＴ
Ｌ１１，Ｌ１２  インダクタ
Ｉ１  負荷電流
Ｖａｃ  交流電圧
Ｖｉ  入力電圧
Ｖｏ  出力電圧
Ｖｏ１  上限値
Ｖｏ２  下限値
Ｖｒ  基準電圧
Ｖｓ  検出電圧
Ｖｆ  点灯開始電圧
Ｓ１  駆動信号
Ｓ２  指示信号
Ｔａ  スイッチング周期（周期）
Ｔｏｎ  オン時間
Ｔｓ  検出周期
【図１】
2018156857.tif 000003
【図２】
2018156857.tif 000004
【図３】
2018156857.tif 000005
【図４】
2018156857.tif 000006
【図５】
2018156857.tif 000007
【図６】
2018156857.tif 000008
【図７】
2018156857.tif 000009
【図８】
2018156857.tif 000010
【図９】
2018156857.tif 000011
【図１０】
2018156857.tif 000012